(57)【要約】【課題】興趣性を向上させる装飾部材を備えるパチンコ機であって、搬送性、ハンドリング性を確保し、搬送時などにおける透明部材の損傷を低減させうるパチンコ機の提供。【解決手段】外枠１０２と、前記外枠１０２に支持される中枠１０３と、遊技領域１５１を有し、前記中枠１０３に取り付けられる遊技盤１０４と、前記遊技領域１５１を覆うガラス板１１６を有し、当該遊技領域１５１に対し開閉可能な前扉１０１を備えるパチンコ機１００であって、前扉１０１から前方突出状に起立する状態と、前記ガラス板１１６の一部に被さるように倒れた状態との間を起倒可能に設けられる可動装飾部材１１０を備える。【選択図】図１
2007202590.tif 000002
【特許請求の範囲】
【請求項１】
外枠と、
前記外枠に支持される中枠と、
遊技領域を有し、前記中枠に取り付けられる遊技盤と、
前記遊技領域を覆う透明部材を有し、当該遊技領域に対し開閉可能な前扉を備えるパチンコ機であって、
前扉から前方突出状に起立する状態と、前記透明部材のすくなくとも一部に被さるように倒れた状態との間を起倒可能に設けられる装飾部材を備えることを特徴とするパチンコ機。
【請求項２】
前記前扉は、操作部材の操作によって前記起立状態から装飾部材の姿勢変更を不可とするロック機構を備え、
前記操作部材は、前記前扉の裏側に配置され、前記前扉の閉鎖状態では操作不能である請求項１に記載のパチンコ機。
【請求項３】
さらに、
前記装飾部材を起倒させる駆動手段を備える請求項１に記載のパチンコ機。
【発明の詳細な説明】
【技術分野】
【０００１】
本発明は、前面から突出する装飾部材を備えるパチンコ機に関し、特に、運搬やハンドリングの容易化に資することのできるパチンコ機に関するものである。
【背景技術】
【０００２】
パチンコ機は、大人の人間が横方向に並んで遊技できる幅に合わせて、島と称される設置場所に取り付けられている。従って、多くの遊技者を収容しうるようにパチンコ機の幅方向の大きさは一定の値以下に制限されている。
【０００３】
また、パチンコ機は、島内部で一括して流通している球がパチンコ機の上方から供給され、パチンコ機から排出された球はパチンコ機の下方で集められ島内部で回収されるためパチンコ機の上下方向の大きさも一定の値以下に制限されている。
【０００４】
つまり、パチンコ機は、前記島に設けられる設置用の孔に適合し、当該島に直接取り付けることのできる所定の大きさに規制された外枠を備え、他のパチンコ機の構成要素は、前記外枠の上下左右寸法内に納められている。
【０００５】
このようにパチンコ機の各構成要素の大きさは、規格内に納める必要があるため、興趣性を向上させるための装飾を施すためにパチンコ機全体を大きくしたり、また、装飾を施すためにパチンコ球が転落する遊技領域を縮小したりすることができないのが現状である。
【０００６】
そこで従来、限定された設置スペースに取り付けることのできる規格内の形状のパチンコ機の遊技領域の大きさを維持しつつ、興趣性をさらに向上させるために、パチンコ機前面から突出した装飾部材を設けることが行われている。
【０００７】
また、パチンコ機前面に突出して設けられている部材としては、賞球を受けて発射装置に球を供給する上皿や、上皿に収容仕切れなくなった球を受ける下皿などがあり、特に下皿を折り畳む技術は開示されている（例えば特許文献１）。
【特許文献１】特許第３５３７７３３号公報
【発明の開示】
【発明が解決しようとする課題】
【０００８】
ところが、パチンコ機の興趣性をより向上させるために装飾部材を既存の上皿等よりもさらに突出させて設けた場合、パチンコ機を搬送する際に突出した装飾部材が邪魔になることがある。例えば、突出した装飾部材が他のパチンコ機と干渉して搬送用のトラックに積み込める台数が少なくなることがあり、搬送コストの増加を招くこともある。
【０００９】
また、パチンコ機を島に取り付ける際、突出した装飾部材が作業者の邪魔になり、取り付け時のハンドリングに支障を来すということがある。
【００１０】
また、一般的なパチンコ機は、遊技領域の前面を覆う透明部材としてガラスを採用することが多く、搬送時等に、ガラスが破損するなどの問題もある。
【００１１】
本発明は上記問題に鑑みなされたものであり、パチンコ機の興趣性を維持しつつ搬送時等においてコンパクト化が可能で、ガラスなどの透明部材を損傷から保護することのできるパチンコ機の提供を目的とする。
【課題を解決するための手段】
【００１２】
上記目的を達成するために、本発明にかかるパチンコ機は、外枠と、前記外枠に支持される中枠と、遊技領域を有し、前記中枠に取り付けられる遊技盤と、前記遊技領域を覆う透明部材を有し、当該遊技領域に対し開閉可能な前扉を備えるパチンコ機であって、前扉から前方突出状に起立する状態と、前記透明部材の一部に被さるように倒れた状態との間を起倒可能に設けられる装飾部材を備えることを特徴とする。
【００１３】
これにより、興趣性を向上させうる突出状の装飾部材が備えられるパチンコ機であっても、当該装飾部材を倒すことによって透明部材を保護することができる。さらに、装飾部材を倒すことでパチンコ機自体をコンパクトにすることができるため、一度に多くのパチンコ機を搬送することができ、また、取り付け時のハンドリング性の向上を図ることが可能となる。
【００１４】
また、前記前扉は、操作部材の操作によって前記起立状態から装飾部材の姿勢変更を不可とするロック機構を備え、前記操作部材は、前記前扉の裏側に配置され、前記前扉の閉鎖状態では操作不能であることが好ましい。
【００１５】
これによれば、扉を開けることができない例えば遊技者は、突出状態の装飾部材を倒すことができないため、いたずらなどからパチンコ機を保護することができるとともに、扉を開閉することができる者、例えばパチンコ機の管理者などは、容易に装飾部材を倒すことが可能となり、パチンコ機の搬送やメンテナンスを容易に行うことが可能となる。
【００１６】
さらに、前記装飾部材を起倒させる駆動手段を備えてもよい。
これにより、自動的に装飾部材を起倒させることが可能となる。
【発明の効果】
【００１７】
本発明によれば、パチンコ機前扉より前方に突出した装飾部材を備えているにもかかわらず、小さなスペースで搬送等することが可能であり、また、パチンコ機の前扉に備えられるガラスなどの透明部材を損傷から保護することができる。
【発明を実施するための最良の形態】
【００１８】
以下、本発明に係るパチンコ機１００の実施の形態を、図面を参照しつつ説明する。
図１、図２、図３はそれぞれ、パチンコ機１００全体を示す斜視図、正面図、側面図である。
【００１９】
これらの図に示すように、パチンコ機１００は、外枠１０２と、外枠１０２にヒンジを介して取り付けられる中枠１０３と、遊技領域１５１を有する遊技盤１０４とを備えている。また、遊技領域１５１の前面には透明部材としてのガラス板１１６を有する前扉１０１が備えられ、遊技領域１５１の下側、中枠１０３に固定される前板には、上皿１５２と、さらにその下に下皿１５３と、下皿１５３の右方にハンドル１５４とが配設されている。
【００２０】
外枠１０２は、矩形筒型の枠体であり、パチンコホールなどに設置される島に設けられる孔に適合する大きさとなされている。
【００２１】
前扉１０１は、外枠１０２に対しヒンジを介して取り付けられる扉状の部材であり、遊技領域１５１を開閉することができるものとなされている。また、前扉１０１は、遊技領域１５１を視認可能に覆うガラス板１１６と、遊技領域１５１の上下に配設される可動装飾部材１１０と、遊技領域１５１の左右に配設される固定装飾部材１５５とを備えている。
【００２２】
中枠１０３は、遊技盤１０４や、電機系の各種制御盤、賞球を払い出すための経路や機構などパチンコ機１００本体を支持する枠体である。
【００２３】
遊技盤１０４は、釘、入賞口、電動役物、液晶表示器１１２等が備えられる部材であり、パチンコ球が転落する領域である遊技領域１５１を形成する。
【００２４】
上皿１５２は、遊技領域１５１にパチンコ球を発射するための発射装置（図示せず）にパチンコ球を供給する部材であるとともに、遊技領域１５１で転落するパチンコ球が入賞口に入った際に払い出される賞球を受ける場所として機能する部材である。
【００２５】
下皿１５３は、上皿１５２で保留しきれなくなったパチンコ球を保留する部材であり、上皿１５２に備えられるボタン（図示せず）などの操作により上皿１５２に保留されているパチンコ球が通路を介して下皿１５３に流れるものとなされている。
【００２６】
ハンドル１５４は、遊技領域１５１にパチンコ球を発射するための発射装置（図示せず）におけるパチンコ球の発射速度を変更することができる部材であり、ハンドル１５４を右方向に所定量回転させることで、所定の速度のパチンコ球が連続して発射するものとなされている。
【００２７】
固定装飾部材１５５は、電球やＬＥＤなどの発光体からなる発光部材１５６が複数個備えられ、遊技状態に応じて光を点滅させる等の演出を行うことができる部材である。
【００２８】
可動装飾部材１１０は、パチンコ機１００に対し傾動可能に軸支されており、図４、図５に示すように、遊技領域１５１の前方に配設されるガラス板１１６の一部を覆う方向に、倒すことができるものとなされている。
【００２９】
これらの図に示すように、倒された可動装飾部材１１０がガラス板１１６の覆うため、可動装飾部材１１０が保護部材として機能してガラス板１１６を保護することが可能となる。従って、パチンコ機１００を搬送する際やパチンコ機１００を島に取り付ける際にガラス板１１６が破損する事故を回避することが可能となる。
【００３０】
なお、可動装飾部材１１０は、ガラス板１１６の一部ばかりでなく全部を覆うものでもよい。さらに、二つの可動装飾部材１１０が協働することにより、ガラス板１１６の全部を覆うものでもかまわない。
【００３１】
また、可動装飾部材１１０は前記保護部材として機能するとともに、前面から突出した可動装飾部材１１０を倒れた状態にすることでパチンコ機１００をコンパクト化できるため、パチンコ機１００を搬送する際に、小さなスペースで多くのパチンコ機１００を搬送することが可能となる。さらにまた、パチンコ機１００を島に取り付ける際に突出した可動装飾部材１１０が邪魔になることなくパチンコ機１００をハンドリングすることが可能となる。
【００３２】
また、下側可動装飾部材１１０には、スピーカ１１４と第２表示器１１３が設けられ、上側可動装飾部材１１０には、スピーカ１１４と発光部材１５６が備えられている。
【００３３】
スピーカ１１４は、遊技に応じた音等をパチンコ機１００外へ流すことができるものであり、上下の可動装飾部材１１０に配置されて立体的な音響効果を奏することができるようになっている。
【００３４】
第２表示器１１３は、遊技領域１５１に備えられた液晶表示器１１２と連動して、または、独立して画像が表示される液晶からなる表示装置である。また、第２表示器１１３の表面には透明のタッチパネルが配設されており、第２表示器１１３に表示される画像に応答して遊技者が種々の入力を行うことができ、遊技者の興奮を煽ることができるようになっている。
【００３５】
図６は、上側可動装飾部材１１０の起倒動作を示す断面図である。なお、可動装飾部材１１０の内部は発光体やスピーカ１１４、及び、これらの配線が存在するが、同図において、これらは省略されている。
【００３６】
同図に示すように、起立状態の可動装飾部材１１０を固定して姿勢変更を不可とするロック機構１１７と、可動装飾部材１１０の姿勢を安定させる押圧体１１８とが前扉１０１に備えられている。
【００３７】
図７は、前扉１０１を開けた状態のパチンコ機１００を示した斜視図である。
同図に示すように、前扉１０１の裏側の上下２箇所には、ロック機構１１７の一部である操作棒１２０が突出している。
【００３８】
ロック機構１１７は、先端にかぎ爪を備える鍵部材１１９と当該鍵部材１１９を前扉１０１の裏側から操作する操作部材としての操作棒１２０とからなり、操作棒１２０は前扉１０１から裏方向に突出するように付勢されている。
【００３９】
一方、可動装飾部材１１０には前記かぎ爪と係合する係合部１２１が設けられており、ロック機構１１７のかぎ爪と当該係合部１２１が係合することにより、可動装飾部材１１０を起立状態で前扉１０１に固定することができるようになっている。
【００４０】
また、操作棒１２０を前扉１０１の裏側から前面方向に押すことにより、鍵部材１１９が取付軸１２２を中心として回転し、前記係合状態を解除することが可能となる。
【００４１】
このように、可動装飾部材１１０は、前扉１０１に設けられたロック機構１１７により起立状態が固定され、当該固定は前扉１０１の裏側からしか解除できないものとなっている。従って、通常前扉１０１を開けることができない遊技者は可動装飾部材１１０を倒すことができず、可動装飾部材１１０が不本意に操作されることを回避することが可能となる。一方、前扉１０１を開けることができる者は、前扉１０１の裏から容易に係合を解除することができ、可動装飾部材１１０を倒すことが可能となる。
【００４２】
押圧体１１８は、前扉１０１に対し前面方向に付勢されており、回転軸１２３に向かって可動装飾部材１１０を押圧する部材である。
【００４３】
この押圧体１１８の押圧力により、起立状態の可動装飾部材１１０においては、ロック機構１１７と相俟って可動装飾部材１１０のがたつきを防止し、倒れた状態の可動装飾部材１１０においては、可動装飾部材１１０の不本意な回動を防止することができるものとなされている。さらに、押圧体１１８が没入することで傾倒操作時における可動装飾部材１１０と前扉１０１との干渉を回避するとともに、可動装飾部材１１０を起立させた状態においては押圧体１１８が前扉１０１と面一になるため、パチンコ機１００の美観を向上させることが可能となる。
【００４４】
なお、図６は上側可動装飾部材１１０について記載し、その説明を上記したが、下側可動装飾部材１１０についても同様に、下側可動装飾部材１１０に対応する前扉１０１の部分にはロック機構１１７と押圧体１１８が備えられており、同様の作用効果を奏するものである。
【００４５】
＜変形例１＞
次に、可動装飾部材１１０のロック構造の変形例を説明する。
【００４６】
図８は、可動装飾部材１１０のロック構造の上側可動装飾部材１１０の起倒動作を示す断面図である。
【００４７】
同図に示すように、前扉１０１には前扉１０１から前面方向に突出するように付勢された係合棒１２４が備えられている。係合棒１２４は、先端面が可動装飾部材１１０の側面を押圧することができるように平面部を備えており、また、可動装飾部材１１０に挿入できる平面部から突出した係合突起を一体に備えている。
【００４８】
一方、可動装飾部材１１０には係合棒１２４に対応した係合穴１２５が２箇所備えられており、当該係合穴１２５に係合棒１２４の先端が嵌入状態で係合し、係合部１２１の周りを係合棒１２４の平面部で押圧することにより、可動装飾部材１１０を起立状態または倒れた状態で固定することができるものとなされている（図８（ａ）（ｃ）参照）。
【００４９】
また、前扉１０１の裏側から係合棒１２４を裏側方向に引っ張れば、可動装飾部材１１０の固定状態を容易に解除することができる（図８（ｂ）参照）。
【００５０】
以上のような構成を採用しても、上記と同様の作用効果を奏することができ、また、倒れた状態でも可動装飾部材１１０を固定できるため、パチンコ機１００の搬送時等において、不用意に可動装飾部材１１０が動くことを防止できる。
【００５１】
＜変形例２＞
次に、可動装飾部材１１０をモータで駆動する場合を説明する。
【００５２】
図９は、可動装飾部材１１０の駆動機構および駆動を制御するための機能構成を同時に示す図である。
【００５３】
同図に示すように、可動装飾部材１１０は、その側面の幅とほぼ同様の径の半円のギアを一体に備えている。
【００５４】
一方、前扉１０１には前記半円ギア１２６を回転させるための駆動手段であるモータ（図示せず）が備えられており、全円ギア１２７を介してモータの回転を半円のギアに伝えている。
【００５５】
モータを制御する制御装置１３０は、モータ制御部１３１とセンサ情報取得部１３２と演出部１３３とを備えている。
【００５６】
センサ情報取得部１３２は、前扉１０１の開閉を検知する開閉センサからの信号を取得し、モータ制御部１３１に前扉１０１の開閉状態に対応する可動装飾部材１１０の駆動状態を指示する処理部である。
【００５７】
演出部１３３は、当たりの判定などが行われる主基盤からの信号や液晶表示のための演出基盤などからの信号に基づき可動装飾部材１１０を駆動することによる演出の内容を指示する処理部である。
【００５８】
モータ制御部１３１は、センサ情報取得部１３２や演出部１３３からの指示に基づきモータを制御して可動装飾部材１１０の駆動を制御する処理部である。
【００５９】
上記構成により、次のような制御を行うことができる。
例えば、前扉１０１が閉状態から開状態になったことを開閉センサが検出し、当該情報をセンサ情報取得部１３２取得した際に、図１０（ｂ）に示すように可動装飾部材１１０を倒すための信号をモータ制御部１３１に送信するものとし、前扉１０１が閉状態となったことを開閉センサが検出し、当該情報をセンサ情報取得部１３２が取得した際に、可動装飾部材１１０を起立させるための信号をモータ制御部１３１に送信するものとすれば、可動装飾部材１１０は、前扉１０１の開閉に連動して自動的に起倒することになる。
【００６０】
このような構成にすれば、島にパチンコ機１００が取り付けられている状態で前扉１０１を開けたときに突出している可動装飾部材１１０が倒れるため、隣の遊技者に邪魔になることなく、また、隣のパチンコ機１００の突出部に干渉することなく大きく前扉１０１を開けることができる。さらに、前扉１０１の開閉に連動しているため、前扉１０１を開けることができない遊技者が可動装飾部材１１０を故意に倒すことを防止することができる。
【００６１】
また、大当たりの状態や確率変動の有無を演出部１３３が取得し、これに対応する駆動方法をモータ制御部１３１に送信し可動装飾部材１１０の動作を制御することもできる。
【００６２】
例えば、液晶表示上で当たりが確定すれば、図１０（ａ）に示すように、上側可動装飾部材１１０をパチンコ機１００の上方に向けて突出するように倒すような演出を行うことができる。
【００６３】
この演出により、当たり状態を管理者などに視覚的に知らせることができるとともに、遊技者の興奮を煽ることが可能となる。
【００６４】
さらに、確率変動の場合、可動装飾部材１１０を複数回起倒させ、いわゆるばたつくような演出等も行うことができる。
【００６５】
この演出により、興趣性を向上させることが可能となる。
なお、本発明は、前記実施形態や変形例のみに限定されるものではなく、本発明の要旨を逸脱しない範囲内で種々の改良、変形が可能であることは勿論である。
【００６６】
例えば、可動装飾部材１１０は、透明部材としてのガラス板１１６の一部ではなく、全体を覆うものでもよい。また、透明部材としては、ガラスばかりでなくアクリルなどの合成樹脂製の部材を採用してもかまわない。
【産業上の利用可能性】
【００６７】
本発明はパチンコ機に適用することができ、特に、前面にガラスなどの透明部材を備えるパチンコ機に適用することができる。
【図面の簡単な説明】
【００６８】
【図１】パチンコ機全体を示す斜視図。
【図２】パチンコ機の正面図。
【図３】パチンコ機の側面図。
【図４】可動装飾部材を折り畳んだ状態のパチンコ機の斜視図。
【図５】可動装飾部材を折り畳んだ状態のパチンコ機の側面図。
【図６】可動装飾部材の起倒状態を示す断面図であり、（ａ）が起立した状態、（ｂ）がロックが解除された状態、（ｃ）が倒れた状態である。
【図７】前扉が開けられた状態を裏側から示す斜視図。
【図８】可動装飾部材の起倒状態の変形例を示す断面図。
【図９】可動装飾部材がモータにより起倒する場合を機能構成とともに示す図。
【図１０】可動装飾部材の状態を示す断面図。
【符号の説明】
【００６９】
１００…パチンコ機
１０１…前扉
１１０…可動装飾部材
１１６…ガラス板
１１７…ロック機構
１１８…押圧体
１１９…鍵部材
１２０…操作棒
１２１…係合部
１２２…取付軸
１２３…回転軸
１２４…係合棒
１２５…係合穴
１２６…半円ギア
１２７…全円ギア
１３０…制御装置
１３１…モータ制御部
１３２…センサ情報取得部
１３３…演出部
【図１】
2007202590.tif 000003
【図２】
2007202590.tif 000004
【図３】
2007202590.tif 000005
【図４】
2007202590.tif 000006
【図５】
2007202590.tif 000007
【図６】
2007202590.tif 000008
【図７】
2007202590.tif 000009
【図８】
2007202590.tif 000010
【図９】
2007202590.tif 000011
【図１０】
2007202590.tif 000012